(57)【要約】排気コンダクタンスを改善し発光効率の低下を抑制した隔壁構造を有するプラズマディスプレイパネルを提供する。一対の基板の対向空間に放電ガスが封入され，一対の基板に横方向に延びる複数の表示電極と縦方向に延びて表示電極４０と交差するアドレス電極Ａとが設けられ，一方の基板上に単位発光領域Ｃを画する縦隔壁２９Ｖと横隔壁２９Ｈとからなる格子状の隔壁２９が設けられたプラズマディスプレイパネルであって，単位発光領域を画する横隔壁２９Ｈは，横方向に貫通する隙間３０を有する第１の横隔壁２９Ｈ−１と，その横方向に貫通する隙間を有しない第２の横隔壁２９Ｈ−２とを交互に有する。その結果，第１の横隔壁の一方の横壁と第２の横隔壁と別の第１の横隔壁の他方の横壁とが縦隔壁２９Ｖにより順に連結され，その連結単位が横方向に貫通する隙間３０を介して配置される。
2008001429.tif 000002
【特許請求の範囲】
【請求項１】
一対の基板の対向する空間に放電ガスを封入してなるプラズマディスプレイパネルにおいて，
前記一対の基板に，横方向に延びる複数の表示電極と，縦方向に延びて前記表示電極と交差するアドレス電極とが設けられ，
前記一対の基板の一方の基板上に，前記表示電極とアドレス電極とが交差する単位発光領域を画する縦隔壁と横隔壁とを有する格子状の隔壁が形成され，
前記格子状の隔壁の横隔壁は，横方向に貫通する隙間で分離された第１の横隔壁と当該横方向に貫通する隙間で分離されてない第２の横隔壁とが交互に設けられ，一対の第１の横隔壁とその間の第２の横隔壁とが前記縦隔壁により連結して隔壁単位が形成され，当該隔壁単位が前記横方向に貫通する隙間を隔てて配置されることを特徴とするプラズマディスプレイパネル。
【請求項２】
請求項１において，前記第２の横隔壁の幅は，前記第１の横隔壁の幅または前記縦隔壁の幅よりも太く，当該第２の横隔壁の高さが前記第１の横隔壁の高さまたは前記縦隔壁の高さよりも低いことを特徴とするプラズマディスプレイパネル。
【請求項３】
請求項２において，前記第２の横隔壁は，平面視の内部に空間が設けられ，横方向に延びる一対のサブ横壁とそれらを連結するサブ縦壁とが当該空間を囲んでいることを特徴とするプラズマディスプレイパネル。
【請求項４】
請求項２または３において，
前記単位発光領域には一対の表示電極と一本のアドレス電極とが配置され，
前記表示電極が透明電極と当該透明電極に接触するバス電極とで構成され，
前記表示電極のバス電極が，前記第２の横隔壁と重なるよう配置されていることを特徴とするプラズマディスプレイパネル。
【請求項５】
請求項４において，
縦方向に隣接する単位発光領域に配置された表示電極が共通化されていることを特徴とするプラズマディスプレイパネル。
【請求項６】
請求項４において，
縦方向に隣接する単位発光領域に配置された表示電極は電気的に分離されており，各単位発光領域毎に一対の表示電極が配置されていることを特徴とするプラズマディスプレイパネル。
【請求項７】
請求項１において，
前記単位発光領域には一対の表示電極と一本のアドレス電極とが配置され，
前記表示電極が透明電極と当該透明電極に接触するバス電極とで構成され，
前記表示電極のバス電極が，前記第１の横隔壁及び第２の横隔壁とそれぞれ重なるよう配置されていることを特徴とするプラズマディスプレイパネル。
【請求項８】
一対の基板の対向する空間に放電ガスを封入してなるプラズマディスプレイパネルにおいて，
前記一対の基板に，横方向に延びる複数の表示電極と，縦方向に延びて前記表示電極と交差するアドレス電極とが設けられ，
前記一対の基板の一方の基板上に，前記表示電極とアドレス電極とが交差する単位発光領域を画する縦隔壁と横隔壁とを有する格子状の隔壁が形成され，
前記格子状の隔壁は，互いに隣接する３つの横隔壁とそれら３つの横隔壁を連結する複数の前記縦隔壁とを有し，縦方向に隣接する２行の単位発光領域を画する隔壁単位が，横方向に貫通する隙間を隔てて複数配置されていることを特徴とするプラズマディスプレイパネル。
【請求項９】
請求項８において，前記３つの横隔壁の真ん中の横隔壁は，他の横隔壁よりも幅が広く，高さが低いことを特徴とするプラズマディスプレイパネル。
【請求項１０】
請求項９において，前記３つの横隔壁の真ん中の横隔壁は，横方向に延びる間欠的な空間を有し，
前記隔壁単位間の横方向に貫通する隙間と前記横方向に延びる間欠的な空間との上に，前記表示電極が形成され，当該表示電極間に前記単位発光領域が位置することを特徴とするプラズマディスプレイパネル。
【発明の詳細な説明】
【技術分野】
【０００１】
本発明は，排気コンダクタンスを改善したプラズマディスプレイパネルに関し，特に，背面基板に形成され単位発光領域を画する格子状の隔壁構造を改良して，封止工程での排気コンダクタンスを改善したプラズマディスプレイパネルに関する。
【背景技術】
【０００２】
近年において，プラズマディスプレイパネル（以下ＰＤＰ）は，より大画面化の要請が強い。現在商品化されているＰＤＰは，ＡＣ型３電極面放電形式であり，前面側基板上に横方向に延びる複数の表示電極とそれを被覆する誘電体層とその保護層が形成され，背面側基板上に縦方向に延び表示電極に交差する複数のアドレス電極と，アドレス電極と表示電極とが交差する単位発光領域（放電セル）を画する格子状（閉鎖形、ボックス形、ワッフル形ともいう）の隔壁（リブ）と，アドレス電極と隔壁の側壁上の蛍光体とが形成される。【０００３】
そして，前面側基板と背面側基板とがそれらの間に放電空間を介して封止される。この封止工程では，前面側基板と背面側基板の周囲に封止材を形成して所定の高温処理により封止し，さらに，背面側基板に形成された通気孔と通気管を介して内部排気をしてから，Ｎｅ及びＸｅの混合ガスなどの放電ガスを封入して通気管をチップオフする。【０００４】
図１は，従来の隔壁の平面図である。図１（Ａ）の隔壁２９は，単純な格子状の隔壁でありそれにより単位発光領域（放電セル）Ｃが画されている。各単位発光領域Ｃには，横方向に延びる表示電極対と縦方向に延びるアドレス電極とが配置される（いずれも図示せず）。図１（Ｂ）の隔壁２９では，横方向に延びる隔壁２９Ｈが横方向に貫通する隙間３０により分離されている。そして，横方向に延びる隔壁２９Ｈと隙間３０の位置に，表示電極のバス電極（図示せず）が形成される。これらの隔壁構造については，例えば以下の特許文献１，２に記載されている。【０００５】
格子状の隔壁により単位発光領域Ｃの４方を囲み，蛍光体を４つの隔壁の側壁上まで形成することで，放電時の紫外線により励起される蛍光体の表面積を増加させて発光効率を高めることができる。したがって，高精細化されて単位発光領域が狭くなっても高い輝度を保つことができる。さらに，格子状の隔壁により単位発光領域Ｃを囲んでいるので，上下左右方向に隣接する単位発光領域Ｃに放電の干渉が生じることが回避でき，誤放電防止が期待できる。
【特許文献１】特開２０００−３１１６１２号公報
【特許文献２】特開２００２−８３５４５号公報
【発明の開示】
【発明が解決しようとする課題】
【０００６】
しかしながら，格子状の隔壁を形成すると，前述の封止工程における排気コンダクタンスが低くなるという問題がある。つまり，封止工程において前面側基板と背面側基板とを貼り合わせた状態で内部排気を行うことで，パネル内部の水分や有機物などの不純物を除去することが行われる。内部排気を十分に行うことができないと，蛍光体が劣化して輝度の低下や電圧変動，電圧変動に伴うパネル面内の表示ムラなどを招く。【０００７】
格子状の隔壁はストライプ状の隔壁に比べると排気コンダクタンスが低く（つまり排気抵抗が高く），排気効率が低下して高品質なＰＤＰを形成することができない。【０００８】
図１（Ｂ）の隔壁構造であれば，単位発光領域Ｃの上下に隙間３０が存在するので，横方向の排気コンダクタンスが高くなり排気効率が高くなる。しかしながら，この隔壁構造では，隔壁が横方向に延びる梯子形状（ラダー形状）になるため，全ての単位発光領域ＣがＴ字形状の隔壁構造（図中２９Ｔ）を上下に有することになる。かかるＴ字形状により，隔壁形成時の高温焼成工程での縦隔壁に生じる熱収縮で横隔壁が上下方向に変形し単位発光領域Ｃが狭くなる。その結果，単位発光領域Ｃの開口率が低下して発光効率の低下を招く。また，熱収縮による横隔壁の変形の程度は，隔壁材料や焼成温度などによりばらつき再現性が乏しいため，画面内の輝度ムラを招くこともある。【０００９】
このように，格子状の隔壁において，排気コンダクタンスと隔壁の変形とはトレードオフの関係にあり，これらのいずれの要求も満たすことが求められる。【００１０】
そこで，本発明の目的は，排気コンダクタンスを改善し発光効率の低下を抑制した隔壁構造を有するプラズマディスプレイパネルを提供することにある。
【課題を解決するための手段】
【００１１】
上記の目的を達成するために，本発明の第１の側面によれば，一対の基板の対向空間に放電ガスが封入され，一対の基板に横方向に延びる複数の表示電極と縦方向に延びて前記表示電極と交差するアドレス電極とが設けられ，一方の基板上に単位発光領域を画する縦隔壁と横隔壁とからなる格子状の隔壁が設けられたプラズマディスプレイパネルであって，単位発光領域を画する横隔壁は，横方向に貫通する隙間により分離された第１の横隔壁と，その横方向に貫通する隙間により分離されてない第２の横隔壁とを交互に有する。その結果，第１の横隔壁の一方の横壁と第２の横隔壁と別の第１の横隔壁の他方の横壁とが縦隔壁により順に連結され，その連結単位が横方向に貫通する隙間を介して配置される。【００１２】
上記の第１の側面によれば，全ての単位発光領域は上側または下側の第１の横隔壁で横方向に貫通する隙間に接し，単位発光領域は縦隔壁と横隔壁とによるＴ字形状の隔壁構造を上側または下側の一方にしか有しない。したがって，排気コンダクタンスを改善するとともに，Ｔ字形状の隔壁構造による変形の影響を小さくすることができる。【００１３】
上記の目的を達成するために，本発明の第２の側面によれば，一対の基板の対向する空間に放電ガスを封入してなるプラズマディスプレイパネルにおいて，
前記一対の基板に，横方向に延びる複数の表示電極と，縦方向に延びて前記表示電極と交差するアドレス電極とが設けられ，
前記一対の基板の一方の基板上に，前記表示電極とアドレス電極とが交差する単位発光領域を画する縦隔壁と横隔壁とを有する格子状の隔壁が形成され，
前記格子状の隔壁の横隔壁は，横方向に貫通する隙間で分離された第１の横隔壁と当該横方向に貫通する隙間で分離されてない第２の横隔壁とが交互に設けられ，一対の第１の横隔壁とその間の第２の横隔壁とが前記縦隔壁により連結して隔壁単位が形成され，当該隔壁単位が前記横方向に貫通する隙間を隔てて配置されることを特徴とする。【００１４】
上記の第２の側面において，好ましい態様によれば，前記第２の横隔壁の幅は，前記第１の横隔壁の幅または前記縦隔壁の幅よりも太く，当該第２の横隔壁の高さが前記第１の横隔壁の高さまたは前記縦隔壁の高さよりも低い。これにより，第２の横隔壁においても排気コンダクタンスが改善される。【００１５】
上記の第２の側面において，好ましい態様によれば，前記第２の横隔壁は，平面視の内部に空間が設けられ，横方向に延びる一対のサブ横壁とそれらを連結するサブ縦壁とが当該空間を囲んでいる。【００１６】
上記の第２の側面において，好ましい態様によれば，前記単位発光領域には一対の表示電極と一本のアドレス電極とが配置され，前記表示電極が透明電極と当該透明電極に接触するバス電極とで構成され，前記表示電極のバス電極が，前記第２の横隔壁と重なるよう配置されている。そして，更に好ましくは，縦方向に隣接する単位発光領域に配置された表示電極が共通化されている。かかる構成にすることで，表示電極のアドレス電極との容量値が隙間と空間により低減される。【００１７】
上記の目的を達成するために，本発明の第３の側面によれば，一対の基板の対向する空間に放電ガスを封入してなるプラズマディスプレイパネルにおいて，
前記一対の基板に，横方向に延びる複数の表示電極と，縦方向に延びて前記表示電極と交差するアドレス電極とが設けられ，
前記一対の基板の一方の基板上に，前記表示電極とアドレス電極とが交差する単位発光領域を画する縦隔壁と横隔壁とを有する格子状の隔壁が形成され，
前記格子状の隔壁は，互いに隣接する３つの横隔壁とそれら３つの横隔壁を連結する複数の前記縦隔壁とを有し，縦方向に隣接する２行の単位発光領域を画する隔壁単位が，横方向に貫通する隙間を隔てて複数配置されていることを特徴とする。【００１８】
上記の第３の側面によれば，２行の単位発光領域が上下に配置された横方向に貫通する隙間に接しているので，排気コンダクタンスを改善することができる。さらに，隔壁単位の上下端にはＴ字形状の隔壁が形成されるが，真ん中には十字形状の隔壁になっているので，各単位発光領域においてＴ字形状の隔壁に発生する熱収縮による変形を最小限に抑えることができる。【００１９】
上記第３の側面において，好ましい態様では，前記３つの横隔壁の真ん中の横隔壁は，他の横隔壁よりも幅が広く，高さが低い。更に好ましい態様によれば，前記３つの横隔壁の真ん中の横隔壁は，横方向に延びる間欠的な空間を有し，前記隔壁単位間の横方向に貫通する隙間と前記横方向に延びる間欠的な空間との上に，前記表示電極が形成され，当該表示電極間に前記単位発光領域が位置する。これにより，表示電極の容量値を抑えることができる。
【発明の効果】
【００２０】
排気コンダクタンスを改善しつつ隔壁の変形による開口率の低下を抑えることができる。
【図面の簡単な説明】
【００２１】
【図１】従来の隔壁の平面図である。
【図２】第１の実施の形態における隔壁構造と電極との関係を示す平面図である。
【図３】十字形状の隔壁とＴ字形状の隔壁の熱収縮作用を示す図である。
【図４】第２の実施の形態における隔壁構造と電極との関係を示す平面図である。
【図５】図１（Ｂ）の従来例におけるアドレス電極方向の断面図である。
【図６】図４（Ｂ）の第２の実施の形態におけるアドレス電極方向の断面図である。
【図７】第３の実施の形態における隔壁構造と電極との関係を示す平面図である。
【図８】図７のアドレス電極に沿った断面図である。
【図９】第３の実施の形態の斜視図である。
【図１０】第４の実施の形態における隔壁構造と電極との関係を示す平面図である。
【図１１】図１０のアドレス電極に沿った断面図である。
【符号の説明】
【００２２】
２９：隔壁，隔壁構造，隔壁単位        ２９Ｈ−１：第１の横隔壁
２９Ｈ−２：第２の横隔壁              ２９Ｖ：縦隔壁
３０：横方向に貫通する隙間            ２９Ｔ：Ｔ字形状
２９＋：十字形状                      ４０：表示電極
Ａ：アドレス電極                      Ｃ：単位発光領域
【発明を実施するための最良の形態】
【００２３】
以下，図面にしたがって本発明の実施の形態について説明する。但し，本発明の技術的範囲はこれらの実施の形態に限定されず，特許請求の範囲に記載された事項とその均等物まで及ぶものである。【００２４】
図２は，第１の実施の形態における隔壁構造と電極との関係を示す平面図である。図２（Ａ）は，単位発光領域（放電セル）Ｃを画する格子状の隔壁構造２９を示し，図２（Ｂ）は，その格子状の隔壁構造に表示電極４０とアドレス電極Ａとを重ねて示している。図２には，それぞれ８行，３列の単位発光領域Ｃを画する隔壁構造が示されているが，実際のパネルにおいては，例えば４２型パネルでは１０２４行、１０２４列の単位発光領域を画する隔壁構造になる。なお，具体的な断面図については後述するが，前面側基板上に表示電極４０とそれを被覆する誘電体層と保護層とが形成され，背面側基板上にアドレス電極Ａと単位発光領域Ｃを画する格子状の隔壁２９と３原色の蛍光体とが形成される。【００２５】
図２（Ａ）に示されるとおり，隔壁構造２９は，横方向に延びる横隔壁２９Ｈと，縦方向に延びる縦隔壁２９Ｖとで構成され，横隔壁２９Ｈと縦隔壁２９Ｖにより単位発光領域Ｃが四方を囲まれている。そして，横隔壁２９Ｈは，横方向に貫通する隙間３０で縦方向に分離された第１の横隔壁２９Ｈ−１と，そのような隙間３０で分離されていない第２の横隔壁２９Ｈ−２とを有し，第１の横隔壁２９Ｈ−１と第２の横隔壁２９Ｈ−２とが縦方向に交互に設けられる。そして，第１の横隔壁２９Ｈ−１の一方の横壁と，第２の横隔壁２９Ｈ−２と，第１の横隔壁２９Ｈ−１の一方の横壁とが，縦隔壁２９Ｖにより連結されて，１つの隔壁単位２９が構成される。図２（Ａ）には４つの隔壁単位２９が示される。よって，１つの隔壁単位２９で２行の単位発光領域Ｃを形成し，各隔壁単位２９が，第１の横隔壁２９Ｈ−１内の横方向に貫通する隙間３０を隔てて配置される。【００２６】
すなわち，格子状の隔壁は，互いに隣接する３つの横隔壁２９Ｈ−１，２９Ｈ−２，２９Ｈ−１とそれら３つの横隔壁を連結する複数の縦隔壁２９Ｖとを有し縦方向に隣接する２行の単位発光領域Ｃを画する隔壁単位２９が，横方向に貫通する間隔３０を隔てて複数配置された構成になっている。【００２７】
上記の隔壁構造によれば，単位発光領域Ｃは必ず上側または下側で隙間３０に接することができ，全ての単位発光領域Ｃに対し，排気コンダクタンスが高い隙間３０を介して通気孔（図示せず）までの排気通路を設けることができ，封止工程における排気コンダクタンスを改善することができる。そして，隔壁単位２９は，上端と下端でＴ字形状の隔壁２９Ｔが形成されるが，上端と下端の間では十字形状の隔壁２９＋が形成される。したがって，格子状の隔壁構造の全ての交差点がＴ字形状にならないので，熱収縮による横隔壁２９Ｈの倒れ込みの影響を最小限に止めることができる。つまり，図１（Ａ）に比較すると排気コンダクタンスは改善され，図１（Ｂ）に比較すると熱収縮により変形する横隔壁の数を減らすことができる。【００２８】
図２（Ｂ）に示した表示電極４０の例では，各単位発光領域毎にそれぞれ一対の表示電極４０（Ｘ），４０（Ｙ）が設けられている。これらの表示電極４０は，通常透明電極材料で形成され，図示しないバス電極がその透明電極に接するように形成される。そして，一対の表示電極４０（Ｘ），４０（Ｙ）間に維持放電パルスを交互に印加することで面放電が発生し，放電に伴って発生する紫外線により蛍光体が励起され各色の発光が生じる。【００２９】
図３は，十字形状の隔壁とＴ字形状の隔壁の熱収縮作用を示す図である。図３（Ａ）には，十字形状の隔壁２９＋の斜視図と断面図が示されている。隔壁は，基板上に低融点ガラスペーストを複数回スクリーン印刷して所定の厚みのガラス層を形成し，表面にマスクを形成してサンドブラスト法により格子状にパターニングし，高温雰囲気中で焼成することで形成される。隔壁の材料である低融点ガラスの組成例は，ＰｂＯ（５０〜６０Ｗｔ％），Ｂ2Ｏ3（５〜１０Ｗｔ％），ＳｉＯ2（１０〜２０Ｗｔ％），Ａｌ2Ｏ3（１５〜２５Ｗｔ％），ＣａＯ（〜５Ｗｔ％）であり，印刷時の厚みは２００μｍ程度，焼成温度は５００〜６００℃程度である。【００３０】
この高温雰囲気での焼成中に発生する熱収縮により，隔壁形状は収縮する。つまり，断面図の破線で示した隔壁形状が実線で示した形状に縮んで変形する。十字形状の隔壁２９＋の場合は，横隔壁２９Ｈは両側の縦隔壁２９Ｖに連結されているので，縦隔壁２９Ｖに熱収縮に伴う引張応力５０が発生しても，横隔壁２９Ｈが横方向に傾くことはない。【００３１】
一方，図３（Ｂ）には，Ｔ字形状の隔壁２９Ｔの斜視図と断面図が示されている。Ｔ字形状の隔壁２９Ｔでは，横隔壁２９Ｈが一方の縦隔壁２９Ｖにのみ連結されているので，縦隔壁２９に熱収縮５０が発生すると，断面図の破線で示した隔壁形状が実線で示したような傾いた形状に変形する。したがって，格子状の隔壁構造において，Ｔ字形状の隔壁構造２９Ｔをできるだけ少なくすることが好ましい。【００３２】
図２に示した隔壁構造では，Ｔ字形状の隔壁構造２９Ｔと十字形状の隔壁構造２９＋とが交互に形成されるので，図１（Ｂ）に比較すると，各単位発光領域ＣにおけるＴ字形状の数が半減される。その一方で，排気コンダクタンスが高い隙間３０を単位発光領域の各行に配置することができ，排気特性が改善される。【００３３】
図４は，第２の実施の形態における隔壁構造と電極との関係を示す平面図である。図２に示した第１の実施の形態との相違点は，第２の横隔壁２９Ｈ−２の幅Ｗ２が，第１の横隔壁２９Ｈ−１の各横壁の幅または縦隔壁２９Ｖの幅よりも太いことにある。それに伴って，幅が太い第２の横隔壁２９Ｈ−２の高さが，第１の横隔壁２９Ｈ−１の高さまたは縦隔壁２９Ｖの高さよりも低く形成される。この理由は，隔壁の幅が大きいほど熱収縮による高さの収縮が大きくなり，隔壁の幅が小さい場合に比較すると，熱処理後の形状では高さが低くなるからである。この原理については，特開２００２−８３５４５に詳述されている。【００３４】
上記以外の構成は，図２で説明した通りである。即ち，格子状の隔壁構造により単位発光領域Ｃの４方が囲まれ，横方向に貫通する隙間３０で分離された第１の横隔壁２９Ｈ−１と，隙間３０で分離されてない第２の横隔壁２９Ｈ−２とが，縦方向に交互に配置されている。図４（Ｂ）に示した表示電極４０とアドレス電極Ａの配置も，図２と同様である。【００３５】
図５は，図１（Ｂ）の従来例におけるアドレス電極方向の断面図である。また，図６は，図４（Ｂ）の第２の実施の形態におけるアドレス電極方向の断面図である。両断面図を比較して，本実施の形態の特徴点を説明する。図４では表示電極４０が概略的にしか示されていないが，図６の断面図にはより詳しく示されている。【００３６】
図５，図６の共通する構成について説明すると，前面基板１１の表面には，ＩＴＯなどの透明電極４１とそれに接触して形成される金属のバス電極４２からなる表示電極４０が複数形成され，一対の表示電極４０が各単位発光領域に配置され，一対の表示電極４０間の逆スリット領域（非放電領域）に光吸収層としての黒色層４３が形成され，さらに，誘電体層１７と保護層１８とが形成されている。一方，背面基板２１の表面には，アドレス電極Ａが形成され，その上に誘電体層２４が形成され，誘電体層上に格子状の隔壁２９が形成される。断面図には，横隔壁２９Ｈの断面とそれらに連結する縦隔壁２９Ｖの側面とが示される。そして，誘電体層２４上に隔壁２９の側壁に乗り上げるように蛍光体２８が形成される。この隔壁２９により囲まれた領域が単位発光領域であり，各領域に蛍光体２８が形成される。【００３７】
次に相違点について説明すると，図５の場合は，全ての横隔壁２９Ｈがパネルの横方向（図中紙面に垂直方向）に貫通する隙間３０で分離されている。したがって，全ての横隔壁２０Ｈは縦隔壁２９ＶとＴ字形状の隔壁構造となるので，縦隔壁２９Ｖ側に傾いて形成される。このため，横隔壁２９Ｈで挟まれた単位発光領域の開口率が低下し発光効率が低下する。【００３８】
これに対して，図６の第２の実施の形態の場合は，隙間３０で分離された第１の横隔壁２９Ｈ−１と隙間３０で分離されてない第２の横隔壁２９Ｈ−２とが交互に設けられている。したがって，第１の横隔壁２９Ｈ−１は，そのＴ字形状によりパネルの上下方向（図６の左右方向）に傾いて形成されるが，第２の横隔壁２９Ｈ−２は，十字形状であり傾くことはない。よって，横隔壁の傾きによる開口率の低下は，図５の場合よりも改善される。一方，第１の横隔壁２９Ｈ−１を分離する横方向に貫通する隙間３０が，各単位発光領域に接しているので，それらの領域からの排気コンダクタンスは改善される。【００３９】
さらに，第２の横隔壁２９Ｈ−２の幅Ｗ２は，他の隔壁よりも大きいので，より大きな熱収縮が発生して，その高さが他の隔壁よりも低くなる。それにより，第２の横隔壁２９Ｈ−２と前面基板１１側の保護層１８との間にわずかな隙間３６が形成され，これが排気コンダクタンスの改善に寄与する。この隙間３６は，パネルの横方向と縦方向の排気コンダクタンスを改善する。【００４０】
そして，図６に示されるとおり，隙間３０で分離された第１の横隔壁２９Ｈ−１の幅Ｗ１と，第２の横隔壁２９Ｈ−２の幅Ｗ２とが同等になり，それらの位置に，光透過性が悪いバス電極４２と黒色層４３とが配置可能になる。その結果，蛍光体２８からの光を遮断することなく，前面基板に導出することができ，発光効率を高くすることができる。【００４１】
図７は，第３の実施の形態における隔壁構造と電極との関係を示す平面図である。図４の平面図と異なる点は，第２の横隔壁２９Ｈ−２が，平面視の内部に空間３２が設けられ，横方向に延びる一対のサブ横壁（一対の２９Ｈ−２）とそれらを連結するサブ縦壁（２９Ｖの一部）とが当該空間３２を囲んでいることである。図７（Ｂ）には，表示電極対と各列のアドレス電極Ａが重ねて示されている。それ以外の構造は，図４と同じである。【００４２】
そして，第３の実施の形態においても，第２の横隔壁２９Ｈ−２の合計幅Ｗ２は，縦隔壁２９Ｖなどより大きく，空間３２が形成されてはいるが，熱収縮によりその高さが低く形成される。【００４３】
図８は，図７のアドレス電極に沿った断面図である。また，図９は，第３の実施の形態の斜視図である。両図面を参照して説明すると，図８の断面図の構造は，第２の横隔壁２９Ｈ−２を除いて図６の構造と同じである。図８，９では，第２の横隔壁２９Ｈ−２の合計幅Ｗ２は，図４，６と同様に他の隔壁２９より広くなっている。ただし，図８，９の第２の横隔壁２９Ｈ−２は空間３２が形成されている。この空間３２は，第１の横隔壁２９Ｈ−１を分離する隙間３０のように横方向に貫通するものではなく，縦隔壁２９Ｖにより分割されている。つまり，空間３２は，第２の横隔壁２９Ｈ−２の１対のサブ横壁と縦隔壁２９Ｖにより囲まれている。このように縦隔壁２９Ｖが連結しているので，第２の横隔壁２９Ｈ−２は縦隔壁２９Ｖと十字形状を形成するので熱収縮による倒れ込みは発生しない。ただし，第２の横隔壁２９Ｈ−２の合計幅Ｗ２が広いため，熱収縮によりその高さは他の隔壁よりも低くなる。【００４４】
そして，図８，９では，表示電極４０を構成する透明電極４１とそれに接触して形成された金属のバス電極４２とが，各単位発光領域に一対ずつ設けられる。そして，その一対の表示電極４０間の逆スリット領域には黒色層４３が形成されている。この黒色層４３は，格子状の隔壁２９に沿って設けられ，単位発光領域を囲んで，表示画像のコントラストを向上させる。【００４５】
図９の斜視図から明白に理解できるとおり，第１の横隔壁２９Ｈ−１を分離する横方向に貫通する隙間３０は，各単位発光領域への排気コンダクタンスを改善させる。また，第２の横隔壁２９Ｈ−２もその高さが低くなっているので，横方向と縦方向の排気コンダクタンスを改善する。【００４６】
そして，第１の横隔壁２９Ｈ−１の隙間３０と，第２の横隔壁２９Ｈ−２の空間３２により，表示電極４０のアドレス電極Ａに対する容量値が下げられる。つまり，表示電極４０の特にバス電極４２が上記横隔壁２９Ｈ−１，２９Ｈ−２と重なるように形成されている。そして，ガラス材料による隔壁２９Ｈ−１，２９Ｈ−２よりも隙間３０，空間３２のほうが誘電率が低いので，表示電極４０とアドレス電極Ａとの間の容量値が低くなる。それにより，表示電極を駆動する電力消費を抑制することができる。【００４７】
図９の斜視図は，第２の横隔壁２９Ｈ−２の構造を除けば，第１，第２の実施の形態においても同様になる。図９の斜視図において，ＰＤＰ１は，前面側の基板構造体１０と背面側の基板構造体２０とが放電空間を隔てて封止される。前面側の基板構造体１０は前面基板１１上に表示電極などを形成したものであり，背面側の基板構造体２０は背面基板２１上にアドレス電極や隔壁，蛍光体などを形成したものである。斜視図には，表示領域ＥＳの一部分のみが示されている。【００４８】
図１０は，第４の実施の形態における隔壁構造と電極との関係を示す平面図である。図１０（Ａ）に示した隔壁構造は，図７の隔壁構造と同じである。ただし，図１０（Ｂ）に示した表示電極４０の構造が，図７（Ｂ）の表示電極構造とは異なる。すなわち，図１０（Ｂ）の例では，透明電極４１とその中央に形成されたバス電極４２とが，上下方向に隣接する単位発光領域Ｃで共通化されている。つまり，横方向に延びる複数の表示電極４０が形成され，それらの表示電極４０の間に各単位発光領域Ｃが位置している。そして，金属バス電極４２は，第１の横隔壁２９Ｈ−１及び第２の横隔壁２９Ｈ−２と重なる位置に配置される。【００４９】
図１１は，図１０のアドレス電極に沿った断面図である。この図１１の断面図を図８の断面図と比較すると，第４の実施の形態における表示電極構造が明らかになる。前面側基板１１に形成された表示電極４０は，ＩＴＯなどからなる透明電極４１と，その透明電極４１の中央部に積層された金属バス電極４２とで構成される。バス電極４２の両側に透明電極４１を接触するように形成してもよい。断面図から明らかなとおり，隣接する単位発光領域の表示電極４０は共通化されている。その結果，隣接する表示電極４０の間の全てに単位発光領域Ｃが形成されるので，高精細の画像を提供することができる。【００５０】
そして，各バス電極４２は，背面側基板２１に形成された第１の横隔壁２９Ｈ−１と第２の横隔壁２９Ｈ−２の位置に配置される。第１，第２の横隔壁２９Ｈ−１，２９Ｈ−２は，それぞれ横方向に貫通する隙間３０と貫通しない空間３２とを有するので，バス電極４２とアドレス電極Ａとの間の容量値は，これらの隙間３０と空間３２により低減される。【００５１】
第４の実施の形態においても，横方向に貫通する隙間３０で分離された第１の横隔壁２９Ｈ−１と，全体の幅Ｗ２が広い第２の横隔壁２９Ｈ−２とが，交互に設けられている。よって，隙間３０により単位発光領域への排気コンダクタンスが改善されると共に，第２の横隔壁２９Ｈ−２の高さが低くなっているので，隙間３０ほどではないが，排気コンダクタンスが改善される。しかも，Ｔ字形状の隔壁構造２９Ｔは，第１の横隔壁２９Ｈ−１にのみ形成されるので，Ｔ字形状による倒れ込みの数を減らすことができ，発光効率の低下を最低限に抑えることができる。【００５２】
以上説明したとおり，上記実施の形態によれば，単位発光領域を囲む格子状の隔壁の横隔壁を，横方向に貫通する空隙３０を有する第１の横隔壁２９Ｈ−１と，貫通する空隙３０を有しない第２の横隔壁２９Ｈ−２とを，交互に設けている。それにより，Ｔ字形状の隔壁形状の数を減らしながら，貫通する空隙３０により排気コンダクタンスを改善することができる。よって，大画面のＰＤＰにおける排気ムラを抑制して，内部の水分や有機物を十分に排気することができ，輝度ムラを抑制することができる。
【図１】
2008001429.tif 000003
【図２】
2008001429.tif 000004
【図３】
2008001429.tif 000005
【図４】
2008001429.tif 000006
【図５】
2008001429.tif 000007
【図６】
2008001429.tif 000008
【図７】
2008001429.tif 000009
【図８】
2008001429.tif 000010
【図９】
2008001429.tif 000011
【図１０】
2008001429.tif 000012
【図１１】
2008001429.tif 000013
【国際調査報告】
2008001429.tif 000014
2008001429.tif 000015
2008001429.tif 000016
2008001429.tif 000017